(57)【要約】【課題】組み立てた箱体に収容物を円滑に入れることができ、収容物の緩衝効果が高く確実に保護することができる緩衝機能付包装用箱を提供する。【解決手段】一枚のブランクシートから一体的に打ち抜かれた箱体形成片１２から成り、側面同士を糊付けする糊付片２２と、組み立てられた箱体の端部を閉鎖する蓋片３２，３６，６８，７４を有する。互いに対向する一対の側面１６，２０に連続した一対のフラップ４６，８４と、フラップ４６，８４の端部に連続して略直角に箱体内側に立ち上がる第１支持片５０，８８を有する。第１支持片５０，８８の端部に連続して、フラップ４６，８４に対して略平行に位置する第２支持片５６，９８が各々設けられている。一対の第２支持片５６，９８は互いに端部が当接し、一対の第２支持片５６，９８が連接する長さは蓋片３６よりも長く形成され、一対の第２支持片５６，９８は箱体の内側に膨らんで位置する。【選択図】図１
2008143565.tif 000002
【特許請求の範囲】
【請求項１】
一枚のブランクシートから一体的に打ち抜かれた箱体形成片から成り、この箱体形成片には、互いに連接された側面と、前記側面同士を糊付けする糊付片と、前記側面と前記糊付片で組み立てられた箱体の端部を閉鎖する蓋片と、互いに対向する一対の側面に連続し前記蓋片の内側に沿って折り曲げられた一対のフラップと、前記フラップの端部に連続して前記フラップから略直角に前記箱体内側に立ち上がる第１支持片と、前記第１支持片の端部に連続して前記フラップに対して略平行に位置する第２支持片が各々設けられ、前記一対の第２支持片は互いに端部が当接し、前記一対の第２支持片が連接する長さは前記蓋片よりも長く形成され、前記一対の第２支持片は前記箱体の内側に膨らんで位置することを特徴とする緩衝機能付包装用箱。
【請求項２】
前記第２支持片の中には、前記第１支持片側の折り罫線と平行に延びた折罫線が設けられ、前記第２支持片はその中の前記折罫線で前記箱体の内側に折れ曲がる山形に形成され、前記折罫線の近傍には、前記折罫線に対して略直角な複数本の補助罫線が形成されていることを特徴とする請求項１記載の緩衝機能付包装用箱。
【請求項３】
前記第１支持片には、前記フラップと連続する方向に沿う複数本の補助罫線が形成されていることを特徴とする請求項１記載の緩衝機能付包装用箱。
【請求項４】
前記一対のフラップは、組み立て状態で互いに対向する方向の長さが、前記蓋片よりも短く形成されて前記一対のフラップの間に隙間が生じ、前記フラップに連続し互いに対面する一対の第１支持片は、前記フラップ側の端部は互いに離れ、前記第２支持片側の端部は互いに当接して山形に位置していることを特徴とする請求項１記載の緩衝機能付包装用箱。
【発明の詳細な説明】
【技術分野】
【０００１】
この発明は、瓶入りの錠剤等の商品を個別に収容する緩衝機能付包装用箱に関する。
【背景技術】
【０００２】
従来、錠剤等を入れた瓶を箱体に収容する場合、箱体の中に緩衝部材が設けられることがある。緩衝部材は、例えば箱体を形成する箱体形成片と一体に緩衝片が設けられ、緩衝片を組み立てて緩衝部とするものがある。
【０００３】
特許文献1に開示されている包装用箱は、箱体を形成する壁面の上下両端に上板、縦板、底板及び糊代を連続させた緩衝部材を折り曲げ可能に連続させ、緩衝部材は上板と縦板との境界部分で糊代部分が内側となるよう二つ折りし、糊代部分を壁面の内側に貼着する。そして、組み立てた箱体に商品を入れた後、緩衝部材を押し込むことにより、板、縦板、底板がコの字形に組み立てられて緩衝機能を持ち、商品を保護するものである。
【０００４】
また、特許文献２に開示されている容器は、紙箱の天井板の両側に両側板を連接し、両側板の前端に、前板、対峙板、後板、粘着片が連続して設けられている。そして、箱体を組み立てると前板、対峙板、後板、粘着片がコの字形に組み立てられて緩衝機能を持ち、商品を保護するものである。
【特許文献１】実開平７−４３２０号公報
【特許文献２】実公昭５５−１０２５１号公報
【発明の開示】
【発明が解決しようとする課題】
【０００５】
上記従来の技術の場合、緩衝部は箱体の側面から延長してフラップに一体に連続して設けられ、フラップの先端で折り返されて、二重になった状態で端部が側面内側に糊付けされる。このため、緩衝部のフラップを開いて開口部から収容物を入れる際に、二重の緩衝部が互いに突っ張り、フラップ部分を外側に大きく開くことが出来なかった。このため、収容物を開口部から入れるときに、フラップ部分が支障となることがある。また、コの字形に組み立てられた緩衝部は、箱体の底部から立ち上がる立上り部分の圧縮によって緩衝効果を得ていたが、弾力性が十分ではなく、バネのような大きなクッション性がなかった。
【０００６】
この発明は、上記従来の技術の問題点に鑑みてなされたものであり、組み立てた箱体に収容物を円滑に入れることができ、収容物の緩衝効果が高く確実に収納物を保護することができる緩衝機能付包装用箱を提供することを目的とする。
【課題を解決するための手段】
【０００７】
本発明は、一枚のブランクシートから一体的に打ち抜かれた箱体形成片から成り、この箱体形成片には、互いに連接された側面と、前記側面同士を糊付けする糊付片と、前記側面と前記糊付片で組み立てられた箱体の端部を閉鎖する蓋片と、互いに対向する一対の側面に連続し前記蓋片の内側に沿って折り曲げられた一対のフラップと、前記フラップの端部に連続して前記フラップから略直角に前記箱体内側に立ち上がる第１支持片と、前記第１支持片の端部に連続して前記フラップに対して略平行に位置する第２支持片が各々設けられ、前記一対の第２支持片は互いに端部が当接し、前記一対の第２支持片が連接する長さは前記蓋片よりも長く形成され、前記一対の第２支持片は前記箱体の内側に膨らんで位置する緩衝機能付包装用箱である。
【０００８】
前記第２支持片の中には、前記第１支持片側の折り罫線と平行に延びた折罫線が設けられ、前記第２支持片はその中の前記折罫線で前記箱体の内側に折れ曲がる山形に形成され、前記折罫線の近傍には、前記折罫線に対して略直角な複数本の補助罫線が形成されている。さらに、前記第１支持片には、前記フラップと連続する方向に沿う複数本の補助罫線が形成されている。
【０００９】
前記一対のフラップは、組み立て状態で互いに対向する方向の長さが、前記蓋片よりも短く形成されて前記一対のフラップの間に隙間が生じ、前記フラップに連続し互いに対面する一対の第１支持片は、前記フラップ側の端部は互いに離れ、前記第２支持片側の端部は互いに当接して山形に位置しているものである。
【００１０】
そして、前記一対のフラップは、前記箱体の端部から外側に向けて互いに平行よりも大きい角度で広げるとき、前記第２支持片の前記折罫線が前記箱体の端部に一致して折り曲げられる。これにより、前記第２支持片が容易に折り曲げられ、充分に外側に開く。
【発明の効果】
【００１１】
本発明の緩衝機能付包装用箱は、簡単な構造で、高い緩衝効果を有して確実に収容物を保護することができる。第１支持片と第２支持片が撓んでバネとなり、収容物を適度に押圧し、がたつきを防ぐことができる。また、組み立てた箱体に収容物を入れる際は、緩衝部が設けられたフラップが大きく開き、円滑に収容作業を行うことができる。
【発明を実施するための最良の形態】
【００１２】
以下、この発明の実施形態について図面に基づいて説明する。図１〜図４はこの発明の一実施形態を示すもので、この実施形態の緩衝機能付包装用箱１０は、紙製のブランクシートを打ち抜いて形成された箱体形成片１２を組み立てて設けられている。図２は箱体形成片１２を表面から見た展開図であり、箱体形成片１２は、側面１４，１６，１８，２０が、互いに平行に連接して形成されている。側面１４，１６，１８，２０はほぼ同じ矩形であり、さらに側面２０の側縁部には、緩衝機能付包装用箱１０の組立状態で側面１４の裏面に糊付けされる糊付片２２が設けられている。側面１４，１６，１８，２０、糊付片２２は、各々折罫線２４，２６，２８，３０で区切られている。
【００１３】
側面１４において、側面どうしの連接方向に対して直角な方向の一端部には、上蓋片３２が折罫線３４で区切られて設けられている。側面１４の、折罫線３４と反対側の端部には、底蓋片３６が折罫線３８で区切られて設けられている。
【００１４】
側面１６の、側面１４の折罫線３４に隣接する部分には、上フラップ４０が折罫線４２で区切られて設けられている。上フラップ４０は、折罫線４２と反対側の端部４０ａが上蓋片３２の中間付近に位置し、端部４０ａには、外側に突出する差込片４４が一体に形成されている。
【００１５】
側面１６の、折罫線４２と反対側の端部には、台形状の下フラップ４６が折罫線４８で区切られて設けられている。下フラップ４６は、折罫線４８と反対側の端部４６ａが底蓋片３６の中間よりやや折罫線４８の近くに位置している。下フラップ４６の、底蓋片３６と反対側の部分は斜めに切り欠かれ、下フラップ４６の端部４６ａは折罫線４８より短く形成されている。端部４６ａには、第１支持片５０が折罫線５２を介して形成されている。第１支持片５０は、小形の矩形に形成され、折罫線５２に対してほぼ直角な補助罫線５４が設けられ、補助罫線５４は互いに等間隔に３本の直線で形成されている。
【００１６】
第１支持片５０の端部には、さらに第２支持片５６が折罫線５８で区切られて設けられている。第２支持片５６は、第１支持片５０との連接方向に交差する幅は第１支持片５０よりも広く形成されている。そして第１支持片５０との連接方向の長さは、下フラップ４６よりも少し長く設けられている。第２支持片５６の中心付近には、折罫線５８に対して平行な折罫線６０が設けられ、折罫線６０の両端部は、第２支持片５６の周縁部に達しない位置で止められている。第２支持片５６の、折罫線５８と反対側の端部５６ａと、折罫線６０の間には、補助罫線６１が設けられている。補助罫線６１は、折罫線６０に対してほぼ直角であり互いに等間隔に４本の直線で形成されている。折罫線６０と補助罫線５４，６１は、例えば押し型で設けられている。
【００１７】
第２支持片５６の端部５６ａには、さらに緩衝機能付包装用箱１０の組立状態で側面１６の裏面に糊付けされる糊付片６２が折罫線６４で区切られて設けられている。折罫線５２，５８，６４には、折り曲げやすいように複数本の破断線６６が形成されている。また、下フラップ４６の折罫線４８，５２間の長さは、折罫線５８，６４間の長さよりも僅かに短く形成されている。
【００１８】
側面１８の、側面１６の折罫線４２に隣接する部分には、台形状の上蓋片６８が折罫線７０で区切られて設けられている。側面１８の、折罫線７０近傍には、開封用の破断線７２が設けられている。破断線７２は、側面１８の上方の角部から中心へ向かうＶ字形に形成され、Ｖ字形の先端は直線で面取りされた形状になっている。側面１８の、折罫線７０と反対側の端部には、台形状の底蓋片７４が折罫線７６で区切られて設けられている。
【００１９】
側面２０の、側面１８の折罫線７０に隣接する部分には、上フラップ７８が折罫線８０で区切られている。上フラップ７８の中心よりもやや端部に近い部分には、緩衝機能付包装用箱１０の組立状態で上フラップ４０の差込片４４が差し込まれる切込線８２が設けられている。切込線８２は、折罫線８０と反対側に開口するコの字形に設けられている。
【００２０】
側面２０の、折罫線８０と反対側の端部には、台形状の下フラップ８４が折罫線８６で区切られて設けられている。下フラップ８４は、折罫線８６と反対側の端部８４ａが底蓋片３６の中間よりやや折罫線８６の近くに位置している。下フラップ８４の、緩衝機能付包装用箱１０の組立状態で底蓋片３６と反対側の部分は斜めに切り欠かれ、下フラップ８４の端部８４ａは折罫線８６より短く形成されている。端部８４ａには、第１支持片８８が折罫線９０を介して形成されている。第１支持片８８は、小形の矩形に形成され、折罫線９０に対してほぼ直角な補助罫線９２が設けられ、補助罫線９２は互いに等間隔に３本の直線で形成されている。
【００２１】
第１支持片８８の端部には、さらに第２支持片９４が折罫線９６で区切られて設けられている。第２支持片９４は、第１支持片８８との連接方向に交差する幅は第１支持片８８よりも広く形成されている。そして、第１支持片８８との連接方向の長さは、下フラップ８４よりも少し長く設けられている。第２支持片９４の中心付近には、折罫線９６に対して平行な折罫線９８が設けられ、折罫線９８の両端部は、第２支持片９４の周縁部に達しない位置で止められている。第２支持片９４の、折罫線９６と反対側の端部９４ａと、折罫線９８の間には、補助罫線１００が設けられている。補助罫線１００は、折罫線９８に対してほぼ直角であり互いに等間隔に４本の直線で形成されている。折罫線９８と補助罫線９２，１００は、例えば押し型で設けられている。
【００２２】
第２支持片９４の端部９４ａには、さらに緩衝機能付包装用箱１０の組立状態で側面２０の裏面に糊付けされる糊付片１０２が折罫線１０４で区切られて設けられている。折罫線９０，９６，１０４には、折り曲げやすいように複数本の破断線６６が形成されている。また、下フラップ８４の折罫線８６，９０間の長さは、折罫線９６，１０４間の長さよりも僅かに短く形成されている。
【００２３】
次に、この実施形態の緩衝機能付包装用箱１０の組立方法の一例について説明する。なお、ここでは図２が緩衝機能付包装用箱１０の箱体形成片１２の表面を見たものであり、箱体形成片１２の表面が凸になる折り方を正折り、そして裏面が凸になる折り方を逆折りと称する。
【００２４】
先ず、糊付片６２，１０２の裏面に糊１０６，１０８を塗布し、折罫線５２，９０を正折りし、糊付片６２，１０２を側面１６，２０の裏面に糊付けする。この状態を図３に示し、図３は箱体形成片１２の裏面を見たものである。次に、糊付片２２の表面に糊１１０を塗布し、折罫線２８を正折りし、次に折罫線２４を正折りして糊付片２２の表面を側面１４の裏面に糊付けする。
【００２５】
次に、収容物である商品を収容し包装する工場等において、折罫線２４，２６，２８，３０を各々９０度に正折りして四角形の箱体にする。次に、折罫線４２，８０で上フラップ４０，７８を９０度に正折りし、上蓋片６８を折罫線７０で９０度に正折りし、次に上蓋片３２を折罫線３４で９０度に正折りし、図示しない糊で上蓋片６８の表面に上蓋片３２の裏面を糊付けして、一方の端面が形成される。
【００２６】
そして他方の端部から商品である錠剤入り薬瓶を入れる。このとき、下フラップ４６，８４は、図４に示すように箱体の外側に向けて互いに平行以上の角度に広げる。このとき、折罫線６０，９８が側面１６，２０の端部である折罫線４８，８６に一致し、また、下フラップ４６の折罫線４８，５２間の長さ及び下フラップ８４の折罫線８６，９０間の長さよりも、折罫線５８，６４間の長さ及び折罫線９６，１０４間の長さが僅かに長く形成されているので、第２支持片５６，９４が容易に外側へ折り曲げられ、充分に外側に開く。そして錠剤入り薬瓶を入れた後、折罫線４８を９０度に正折りすると、折罫線５２，５８はほぼ９０度に正折りされ、折罫線６４はほぼ９０度に逆折りされて、第１支持片５０と第２支持片５６がほぼ直角に位置してコの字形の緩衝部が形成される。同様に、折罫線８６を９０度に正折りすると、折罫線９０，９６はほぼ９０度に正折りされ、折罫線１０４はほぼ９０度に逆折りされて、第１支持片８８と第２支持片９４がほぼ直角に位置してコの字形の緩衝部が形成される。
【００２７】
ここで折罫線５８，９６が折れ曲げにくくほぼ直角にならない場合は、第２支持片５６，９４が上方へ大きく折り曲げられて、第１支持片５０，８８は互いに離間するが、第２支持片５６，９４に錠剤入り薬瓶等が載せられると押えられて、第２支持片５６，９４は面一に連接され、第１支持片５０，８８が互いに接触する。
【００２８】
次に、底蓋片７４を折罫線７６で９０度に正折りし、底蓋片３６を折罫線３８で９０度に正折りし、図示しない糊で底蓋片７４の表面に底蓋片３６の裏面を糊付けして底部を形成し、箱体が閉鎖される。第２支持片５６と第２支持片９４は互いに折り罫線５８，９６で連接し、第２支持片５６と第２支持片９４が連接する長さは底蓋片３６よりも長く形成され、折罫線６０，９８がわずかに正折りされて上方へ凸の山形となる。この状態で、第２支持片５６，９４の折罫線６０，９８が、錠剤入り薬瓶の底部に当接し、緩衝効果を与える。さらに、第２支持片５６，９４には、補助罫線６１，１００が彎曲する方向に沿って設けられ、補強されて曲がりにくくなり、上方へ突出する山形が維持される。また、第１支持片５０，８８にも補助罫線５４，９２が設けられ、第１支持片５０，第１支持片８８も折れ曲がることなく立ち上がる。下フラップ４６と下フラップ８４も互いに面一に位置し、下フラップ４６と下フラップ８４が連接する長さは第２支持片５６と第２支持片９４が連接する長さより、また底蓋片３６より短いため、下フラップ４６と下フラップ８４の間に隙間が生じ、第１支持片５０と第１支持片８８は、下フラップ４６，８４側の端部は互いに離れ、第２支持片５６，９４側の端部は互いに接触して山形に位置する。
【００２９】
この実施形態の緩衝機能付包装用箱１０によれば、簡単な構造で、高い緩衝効果を有して確実に錠剤入り薬瓶等の収容物を保護することができる。第１支持片５０，８８、第２支持片５６，９４が撓んでバネのようになり、収容物と緩衝機能付包装用箱１０の隙間を作らず、収納物の底部を適度に押圧し、収容物が緩衝機能付包装用箱１０内でがたつくことを防ぐ。また第２支持片５６，第２支持片９４はバネのようになってクッション効果があり、外部からの衝撃も吸収し、落下等の衝撃による破損を防ぐことができる。また、緩衝機能を有する下フラップ４６，８４は，錠剤入り薬瓶等の収容物を箱体の中に入れる際に両側に、互いに平行以上の角度に開くため、収容作業が容易である。第２支持片５６，９４の折罫線６０，９８の端部は、第２支持片５６，９４の周縁部に達していないため完全に折れ曲がることがなく、緩衝機能を維持することができる。第１支持片５０，８８、第２支持片５６，９４には、彎曲する方向に沿って補助罫線５４，６１，９２，１００が設けられ、曲げ強度が高くなり、変形を防ぎ高い弾性力を維持することができる。
【００３０】
なお、この発明は上記実施形態に限定されるものではなく、上蓋片や底蓋片、上フラップ等の形状や大きさ、数等、適宜変更可能である。収容物は錠剤入り薬瓶以外にいろいろな商品に使用することができる。箱体形成片の素材は、紙以外に合成樹脂や、合成樹脂と紙を積層したもの等、自由に選択可能である。折罫線や補助罫線の本数や長さも、適宜変更可能である。また、箱体の内側に収容物固定のための仕切り等を追加してもよい。
【図面の簡単な説明】
【００３１】
【図１】この発明の一実施形態の緩衝機能付包装用箱の部分破断斜視図である。
【図２】この実施形態の緩衝機能付包装用箱の展開図である。
【図３】この実施形態の緩衝機能付包装用箱の組立工程を示す展開図である。
【図４】この実施形態の緩衝機能付包装用箱の組立工程を示す縦断面図である。
【符号の説明】
【００３２】
１０  緩衝機能付包装用箱
１２  箱体形成片
１４，１６，１８，２０  側面
２２，６２，１０２  糊付片
３２，６８  上蓋片
３６，７４  底蓋片
４６，８４  下フラップ
５０，８８  第１支持片
５６，９４  第２支持片
６０，９８  折罫線
５４，６１，９２，１００  補助罫線
【図１】
2008143565.tif 000003
【図２】
2008143565.tif 000004
【図３】
2008143565.tif 000005
【図４】
2008143565.tif 000006